【手続補正書】
【提出日】平成25年4月26日(2013.4.26)
【手続補正１】
【補正対象書類名】特許請求の範囲
【補正対象項目名】全文
【補正方法】変更
【補正の内容】
【特許請求の範囲】
【請求項１】
塗膜剤により少なくとも部分的に湿るように又は塗膜剤が少なくとも部分的に流れるように適合されており、塗膜システム装置と取り外し可能に接続するための少なくとも１つの保持部材を有する塗膜システム部品であって、
前記保持部材はネジであり、
該ネジは、
第１のネジ側面内角（α１）を有する第１のネジ側面部（２１ａ）、
第２のネジ側面内角（α２）を有する第２のネジ側面部（２１ｂ）、及び、
前記第２のネジ側面部（２１ｂ）とネジ歯山頂部との間に配置されており、且つ、前記塗膜システム装置上の固定用の輪郭（ＳＰ）のための空間を作る削減されたネジ側面部（２１ｃ）を有することを特徴とする塗膜システム部品。
【請求項２】
前記保持部材ネジはピッチ及びネジ歯深さ（ｈ１）を有するネジ歯（２１）を含み、
前記ネジ歯深さ（ｈ１）対前記ピッチの比率は、
ａ）約０．３、０．５、０．７、０．９、１．１、１．３、又は、１．５より大きく、及び、
ｂ）約１．６、１．４、１．２、１．０、０．８、０．６、又は、０．４より小さい、
請求項１に記載の塗膜システム部品。
【請求項３】
ａ）前記保持部材ネジは少なくとも１つのネジ歯（２１）を含み、及び、
ｂ）前記ネジ歯（２１）の少なくとも基底部は実質的に非二等辺三角形の形状であり、又は、
ｃ）前記ネジ歯（２１）の少なくとも基底部は実質的に非二等辺台形の形状である、
請求項１又は２に記載の塗膜システム部品。
【請求項４】
ａ）前記削減されたネジ側面部（２１ｃ）は、側面が削減され、面取りされ、且つ、前記ネジ歯山頂部と前記第２のネジ側面部（２１ｂ）との間に配置されており、
ｂ）前記削減されたネジ側面部（２１ｃ）は、前記第２のネジ側面部（２１ｂ）から分岐し、前記ネジ歯山頂部に延びており、及び、
ｃ）前記削減されたネジ側面部（２１ｃ）は、第３のネジ側面内角（α３）を備える、
請求項１から３のいずれか１項に記載の塗膜システム部品。
【請求項５】
ａ）前記第１のネジ側面内角（α１）は前記第２のネジ側面内角（α２）よりも小さく、且つ、前記第２のネジ側面内角（α２）は前記第３のネジ側面内角（α３）と実質的に同じ大きさであり、
ｂ）前記第１のネジ側面内角（α１）は、約７．５°、１７．５°、１９．０°、２７．５°、３７．５°、又は、４７．５°よりも大きく、
ｃ）前記第１のネジ側面内角（α１）は、約１２．５°、２２．５°、３２．５°、４２．５°、又は、５２．５°より小さく、
ｄ）前記第２のネジ側面内角（α２）及び前記第３のネジ側面内角（α３）は、約１７．５°、２７．５°、２８．０°、３７．５°、４７．５°、又は、５７．５°より大きく、並びに、
ｅ）前記第２のネジ側面内角（α２）及び前記第３のネジ側面内角（α３）は、約２２．５°、３２．５°、４２．５°、５２．５°、又は、６２．５°より小さい、
請求項１から４のいずれか１項に記載の塗膜システム部品。
【請求項６】
ａ）前記第１のネジ側面部（２１ａ）は固定中前記塗膜システム装置のネジと接触するための軸受表面を形成し、且つ、前記第２のネジ側面部（２１ｂ）は解放中前記塗膜システム装置のネジと接触するための軸受表面を形成し、
このとき、前記固定表面対前記解放表面との比率、又は、ｂ）前記第１のネジ側面部（２１ａ）対前記第２のネジ側面部（２１ｂ）との比率は、
ｃ）約０．５、１．５、２．５、３．５、４．５、又は、５．５より大きく、及び、
ｄ）約１．０、２．０、３．０、４．０、５．０、又は、６．０より小さい、
請求項１から５のいずれか１項に記載の塗膜システム部品。
【請求項７】
前記保持部材ネジのピッチは、
ａ）約０．５ｍｍ、１．５ｍｍ、２．５ｍｍ、３．５ｍｍ、４．５ｍｍ、又は、５．５ｍｍより大きく、及び、
ｂ）約０．７５ｍｍ、１．０ｍｍ、２．０ｍｍ、３．０ｍｍ、４．０ｍｍ、５．０ｍｍ、又は、６．０ｍｍより小さい、
請求項１から６のいずれか１項に記載の塗膜システム部品。
【請求項８】
前記保持部材ネジは、ネジ歯深さ（ｈ１）を有するネジ歯（２１）を含んでおり、
該ネジ歯深さ（ｈ１）は、
ａ）約０．２ｍｍ、０．６ｍｍ、１．０ｍｍ、１．４ｍｍ、又は、１．８ｍｍより大きく、及び、
ｂ）約２．０ｍｍ、１．６ｍｍ、１．２ｍｍ、０．８ｍｍ、又は、０．４ｍｍより小さい、
請求項１から７のいずれか１項に記載の塗膜システム部品。
【請求項９】
前記保持部材ネジは、
ａ）雄ネジであり、且つ、ネジ外部半径（ｒ１）を有しており、
該ネジ外部半径（ｒ１）は、
ｂ）約４．０ｍｍ、６．０ｍｍ、８．０ｍｍ、１０．０ｍｍ、１２．０ｍｍ、１４．０ｍｍ、２０．０ｍｍ、２５．０ｍｍ、又は、３５．０ｍｍより大きく、及び、
ｃ）約５．０ｍｍ、７．０ｍｍ、９．０ｍｍ、１１．０ｍｍ、１３．０ｍｍ、１５．０ｍｍ、２２．５ｍｍ、３０．０ｍｍ、又は、４０．０ｍｍよりも小さい、
請求項１から８のいずれか１項に記載の塗膜システム部品。
【請求項１０】
ａ）前記保持部材ネジは一段であり、又は、
ｂ）前記保持部材ネジは、多段である、
請求項１から９のいずれか１項に記載の塗膜システム部品。
【請求項１１】
ａ）前記保持部材ネジ及び／又は前記ネジ歯（２１）は、少なくとも１つの丸められたネジ谷底部を含み、及び、
ｂ）前記ネジ歯（２１）は丸められたネジ歯山頂部を有している、
請求項１から１０のいずれか１項に記載の塗膜システム部品。
【請求項１２】
塗膜剤により少なくとも部分的に湿るように又は塗膜剤が少なくとも部分的に流れるように適合されており、塗膜システム部品と取り外し可能に接続するための少なくとも１つの保持手段を備える塗膜システム装置であって、
前記保持手段はネジであり、
該ネジは、
第１のネジ側面内角（α１）を有する第１のネジ側面部（６１ａ）、
第２のネジ側面内角（α２）を有する第２のネジ側面部（６１ｂ）、及び、
前記保持手段ネジのネジ段部に突出し、及び／又は、相性の悪い塗膜システム部品の取り付けを避けるよう設けられている固定用の輪郭（ＳＰ）を有することを特徴とする塗膜システム装置。
【請求項１３】
前記保持手段ネジはピッチとネジ歯深さ（ｈ２）を有するネジ歯（６１）とを含み、
前記ネジ歯深さ（ｈ２）対前記ピッチの比率は、
ａ）約０．３、０．５、０．７、０．９、１．１、１．３、又は、１．５より大きく、及び、
ｂ）約１．６、１．４、１．２、１．０、０．８、０．６、又は、０．４より小さい、
請求項１２に記載の塗膜システム装置。
【請求項１４】
ａ）前記保持手段ネジは少なくとも１つのネジ歯（６１）を含み、及び、
ｂ）前記ネジ歯（６１）の少なくとも基底部は実質的に非二等辺三角形の形状であり、又は、
ｃ）前記ネジ歯（６１）の少なくとも基底部は実質的に非二等辺台形の形状である、
請求項１２又は１３に記載の塗膜システム装置。
【請求項１５】
ａ）前記固定用の輪郭（ＳＰ）は、前記塗膜システム部品の削減されたネジ側面部（２１ｃ）に突出するよう設けられており、
ｂ）前記固定用の輪郭（ＳＰ）は、ネジ谷底部及び／又は汚れ受け口（ＳＡ）と前記第２のネジ側面部（６１ｂ）との間に配置されており、好ましくは、前記第２のネジ側面部（６１ｂ）から分岐し、前記ネジ谷底部及び／又は前記汚れ受け口（ＳＡ）に延びている、
請求項１２から１４のいずれか１項に記載の塗膜システム装置。
【請求項１６】
ａ）前記第１のネジ側面内角（α１）は前記第２のネジ側面内角（α２）よりも小さく、
ｂ）前記第１のネジ側面内角（α１）は、約７．５°、１７．５°、１９．０°、２７．５°、３７．５°、又は、４７．５°よりも大きく、
ｃ）前記第１のネジ側面内角（α１）は、約１２．５°、２２．５°、３２．５°、４２．５°、又は、５２．５°より小さく、
ｄ）前記第２のネジ側面内角（α２）は、約１７．５°、２７．５°、２８．０°、３７．５°、４７．５°、又は、５７．５°より大きく、及び、
ｅ）前記第２のネジ側面内角（α２）は、約２２．５°、３２．５°、４２．５°、５２．５°、又は、６２．５°より小さい、
請求項１２から１５のいずれか１項に記載の塗膜システム装置。
【請求項１７】
前記保持手段ネジのピッチは、
ａ）約０．５ｍｍ、１．５ｍｍ、２．５ｍｍ、３．５ｍｍ、４．５ｍｍ、又は、５．５ｍｍより大きく、及び、
ｂ）約０．７５ｍｍ、１．０ｍｍ、２．０ｍｍ、３．０ｍｍ、４．０ｍｍ、５．０ｍｍ、又は、６．０ｍｍより小さい、
請求項１２から１６のいずれか１項に記載の塗膜システム装置。
【請求項１８】
前記保持手段ネジは、ネジ歯深さ（ｈ２）を有するネジ歯（６１）を含んでおり、
該ネジ歯深さ（ｈ２）は、
ａ）約０．２ｍｍ、０．６ｍｍ、１．０ｍｍ、１．４ｍｍ、又は、１．８ｍｍより大きく、及び、
ｂ）約２．０ｍｍ、１．６ｍｍ、１．２ｍｍ、０．８ｍｍ、又は、０．４ｍｍより小さい、
請求項１２から１７のいずれか１項に記載の塗膜システム装置。
【請求項１９】
前記保持手段ネジは、
ａ）雌ネジであり、且つ、ネジ外部半径（ｒ２）を有しており、
該ネジ外部半径（ｒ２）は、
ｂ）約４．０ｍｍ、６．０ｍｍ、８．０ｍｍ、１０．０ｍｍ、１２．０ｍｍ、１４．０ｍｍ、２０．０ｍｍ、２５．０ｍｍ、又は、３５．０ｍｍより大きく、及び、
ｃ）約５．０ｍｍ、７．０ｍｍ、９．０ｍｍ、１１．０ｍｍ、１３．０ｍｍ、１５．０ｍｍ、２２．５ｍｍ、３０．０ｍｍ、又は、４０．０ｍｍよりも小さい、
請求項１２から１８のいずれか１項に記載の塗膜システム装置。
【請求項２０】
ａ）前記保持手段ネジは一段であり、又は、
ｂ）前記保持手段ネジは、多段である、
請求項１２から１９のいずれか１項に記載の塗膜システム装置。
【請求項２１】
ａ）前記保持手段ネジ（６１）は、少なくとも１つの丸められたネジ谷底部を含み、及び、
ｂ）前記ネジ谷底部は、少なくとも１つの汚れ受け口（ＳＡ）を含み、
ｃ）このとき、前記ネジ谷底部又は前記汚れ受け口（ＳＡ）及び前記ネジ歯山頂部は、丸められており、且つ、丸め半径は、
ｃ１）約０．０７５ｍｍ、０．１２５ｍｍ、０．１７５ｍｍ、０．２２５ｍｍ、又は、０．２７５ｍｍより大きく、及び、
ｃ２）約０．１ｍｍ、０．１５ｍｍ、０．２０ｍｍ、０．２５ｍｍ、又は、０．３ｍｍより小さい、
請求項１２から２０のいずれか１項に記載の塗膜システム装置。
【請求項２２】
ａ）塗膜システム部品上での請求項１から１１のいずれか１項に記載の特徴部に係る特徴を有するネジの、又は、
ｂ）塗膜システム装置上又は内での請求項１２から２１のいずれか１項に記載の特徴部に係る特徴を有するネジの使用であって、
ｃ）このとき、前記塗膜システム部品又は前記塗膜システム装置は、
ｃ１）車体、
ｃ２）車体の取り付け部品、
ｃ３）船舶又は船舶部品、
ｃ４）飛行機部品、
ｃ５）列車部品、
のうち少なくとも１つの塗膜のために用いられる、使用。
【請求項２３】
請求項１から１１のいずれか１項に記載の塗膜システム部品及び請求項１２から２１のいずれか１項に記載の塗膜システム装置を備える配置体。
【請求項２４】
一方ネジのネジ歯と他方のネジのネジ谷底部との間に、これらのネジが共にねじ込まれるときに、汚れ受け口が画定される、請求項２３に記載の配置体。